(57)【要約】【課題】映像表示機器と天板とを連結する連結具の天板側の固定位置の変更が可能でありながらも、見栄えを向上し得る収納装置を提供する。【解決手段】収納装置１は、天板１０と、この天板の後端面１１に取り付けられ、後方側に向けて開口するガイド溝２１が収納間口方向に延びるように設けられたレール２０と、前記天板に載置される映像表示機器３の背面４に第１端部７が保持される連結具６の第２端部８を保持し、前記レールのガイド溝に移動可能に保持される保持具３０と、を備えている。【選択図】図１
2020000394.tif 000002
【特許請求の範囲】
【請求項１】
天板と、この天板の後端面に取り付けられ、後方側に向けて開口するガイド溝が収納間口方向に延びるように設けられたレールと、前記天板に載置される映像表示機器の背面に第１端部が保持される連結具の第２端部を保持し、前記レールのガイド溝に移動可能に保持される保持具と、を備えていることを特徴とする収納装置。
【請求項２】
請求項１において、
前記天板の後端部の収納間口方向両端部には、前記レールの長手方向両端側を覆うように配される突出部が設けられていることを特徴とする収納装置。
【請求項３】
請求項１または２において、
前記レールの下端部から後方側に向けて突出するように設けられたカバー片部を備えていることを特徴とする収納装置。
【請求項４】
請求項１乃至３のいずれか１項において、
前記保持具には、前記レールのガイド溝の溝底に当接される締付具が溝底側に向けて進退自在に設けられていることを特徴とする収納装置。
【請求項５】
請求項１乃至４のいずれか１項において、
前記レールのガイド溝の溝幅方向両側には、前記保持具の上下端部がそれぞれに着脱可能に差し込まれる差込溝が設けられていることを特徴とする収納装置。
【請求項６】
請求項１乃至５のいずれか１項において、
前記レールには、前記天板の下面に固定される固定片部が設けられ、該固定片部の上面から当該レールの上端面までの上下方向に沿う寸法を前記天板の厚さ寸法以下としていることを特徴とする収納装置。
【発明の詳細な説明】
【技術分野】
【０００１】
本発明は、収納装置に関する。
【背景技術】
【０００２】
従来より、テレビジョン受像機やディスプレイ（モニター）等の映像表示機器が載置される天板を有したキャビネット等の収納装置が知られている。このような収納装置においては、一端が映像表示機器の背面に固定され、他端がねじ等で天板に固定されるベルト等の転倒防止用の連結具が設けられる場合がある。このような連結具は、映像表示機器の交換や設置位置を変更する際に、天板側の他端の位置を変更する必要が生じる場合があるが、ねじ跡が残るため固定位置を変更し難いという問題があった。
例えば、下記特許文献１には、一端部が薄型テレビの背面に固定されたワイヤの他端部を保持するワイヤ保持装置を固定するためのレールを上面に埋設したテレビ台が開示されている。
【先行技術文献】
【特許文献】
【０００３】
【特許文献１】実用新案登録第３１３１３７４号公報
【発明の概要】
【発明が解決しようとする課題】
【０００４】
しかしながら、上記のようなテレビ台では、レールがテレビ台の上面において露出するため、更なる改善が望まれる。
【０００５】
本発明は、上記実情に鑑みてなされたものであり、映像表示機器と天板とを連結する連結具の天板側の固定位置の変更が可能でありながらも、見栄えを向上し得る収納装置を提供することを目的としている。
【課題を解決するための手段】
【０００６】
上記目的を達成するために、本発明に係る収納装置は、天板と、この天板の後端面に取り付けられ、後方側に向けて開口するガイド溝が収納間口方向に延びるように設けられたレールと、前記天板に載置される映像表示機器の背面に第１端部が保持される連結具の第２端部を保持し、前記レールのガイド溝に移動可能に保持される保持具と、を備えていることを特徴とする。
【発明の効果】
【０００７】
本発明に係る収納装置は、上述のような構成としたことで、映像表示機器と天板とを連結する連結具の天板側の固定位置の変更が可能でありながらも、見栄えを向上させることができる。
【図面の簡単な説明】
【０００８】
【図１】本発明の一実施形態に係る収納装置の一例を模式的に示す概略斜視図である。
【図２】（ａ）は、図１におけるＸ１部に対応させた一部破断概略拡大斜視図、（ｂ）は、図１におけるＸ２部に対応させた一部破断概略拡大斜視図である。
【図３】（ａ）は、図２（ａ）におけるＹ−Ｙ線矢視に対応させた一部破断概略縦断面図、（ｂ）、（ｃ）は、（ａ）に対応させた一部破断概略縦断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、設置された本実施形態に係る収納装置に載置された映像表示機器の表示面側に対面した状態を基準として、手前側を前方、その逆側を後方とし、また、設置された状態を基準として、上下方向等の方向を説明する。
【００１０】
図１〜図３は、本実施形態に係る収納装置の一例を模式的に示す図である。
本実施形態に係る収納装置１は、図１に示すように、天板１０と、この天板１０の後端面１１に取り付けられ、後方側に向けて開口するガイド溝２１が収納間口方向に延びるように設けられたレール２０と、を備えている。また、収納装置１は、天板１０に載置される映像表示機器３の背面４に第１端部７が保持される連結具６の第２端部８を保持し、レール２０のガイド溝２１に移動可能に保持される保持具３０を備えている。
【００１１】
この収納装置１は、天板１０上に映像表示機器３が載置される構成とされ、比較的に上下方向に沿う高さ寸法が小とされたいわゆるローボードとされている。
この収納装置１の高さ寸法や奥行寸法、収納間口方向に沿う幅寸法は、設置箇所や被収納物、用途等に応じて適宜の寸法とされたものでもよい。例えば、収納装置１の高さ寸法は、２００ｍｍ〜６００ｍｍ程度でもよく、好ましくは、３００ｍｍ〜５００ｍｍ程度でもよい。また、収納装置１の奥行寸法は、例えば、３００ｍｍ〜６００ｍｍ程度でもよい。また、収納装置１の幅寸法は、６００ｍｍ〜３６００ｍｍ程度でもよい。
なお、映像表示機器３は、一般的なテレビジョン受像機や映像再生機器等であってもよく、その他、各種情報機器のディスプレイ（モニター）等であってもよい。
【００１２】
また、収納装置１は、上方側が天板１０によって区画された収納空間の間口方向両側を区画する一対の側板１４，１４と、この収納空間の下方側を区画する底板１５と、を備えている。また、図３に示すように、収納装置１を、これら両側板１４，１４の後端面を壁面２に当接または近接させて設置した例を示している。
また、図例では、天板１０の収納間口方向両端部の下面側に両側の側板１４，１４を設け、両側の側板１４，１４の下端部間に底板１５を設けた例を示している。つまり、天板１０と両側の側板１４，１４とを横勝状に接合し、両側の側板１４，１４と底板１５とを縦勝状に接合した例を示している。なお、天板１０と両側の側板１４，１４とを縦勝状に接合したり、両側の側板１４，１４と底板１５とを横勝状に接合したりした態様としてもよい。また、図例では、底板１５の下面側に脚状部を設けた例を示しているが、底板１５の下面側に台輪状部を設けたり、床上を走行自在とされたキャスター等の転動体を設けたりしてもよい。
【００１３】
また、収納装置１には、収納空間を収納間口方向に複数に仕切る仕切板１６が設けられている。図例では、３枚の仕切板１６，１６，１６を収納間口方向に間隔を空けて設けた例を示している。これら仕切板１６，１６，１６は、上端部が天板１０に接合され、下端部が底板１５に接合されている。また、これら仕切板１６，１６，１６は、その後方側に配線挿通空間が形成されるように、両側の側板１４，１４の後端部よりも前方側に後端部を位置させた構成とされている。また、図例では、両側の側板１４，１４の後端部の下端部に切欠状の凹所を設け、この凹所が設けられた部位の内側面間に架け渡すように、かつ底板１５の後端部から上方側に向けて突出させるように帯板状部材を設けた例を示している。このような構成とすれば、背板を設けずに後方側を開口させた構成とした場合にも、底板１５上に載置された物品の後方側への落下を抑制することができる。なお、仕切板１６，１６の後端部等に、収納間口方向（厚さ方向）に貫通する配線挿通部を設けた構成としてもよい。
【００１４】
また、収納装置１には、これら仕切板１６，１６，１６によって区画された収納部のそれぞれを上下に仕切る複数の棚板１７が設けられている。これら棚板１７は、高さ変更可能に配設される構成とされたものでもよい。また、図例では、これら棚板１７の後端部に、スリット状の複数の配線挿通部を設けた堰状部材を上方側に向けて突出させるように設けた例を示している。また、奥行方向に沿う寸法が互いに異なる複数の棚板１７を設けた例を示している。なお、仕切板１６及び棚板１７の配設位置や枚数、奥行寸法等は、図例のような構成とされたものに限られず、種々の変形が可能である。
また、当該収納装置１の前方開口を開閉自在に覆う扉を設けた態様としてもよい。また、図例では、背板を設けていない例を示しているが、背板を設けた構成としてもよい。この場合、背板を着脱自在に設けた構成としてもよい。
【００１５】
天板１０の後端面１１に取り付けられたレール２０は、図１に示すように、収納間口方向の概ね全体に亘って設けられている。本実施形態では、天板１０の後端部の収納間口方向両端部に、レール２０の長手方向両端側を覆うように配される突出部１２，１２を設けた構成としている。換言すれば、天板１０の後端部の両側の突出部１２，１２間にレール２０を受け入れる受入凹所１３を設けた構成としている。この受入凹所１３は、後方側に向けて開口し、かつ天板１０を厚さ方向に貫通して設けられている。また、この受入凹所１３の後方側に向く底面を、レール２０が取り付けられる天板１０の後端面１１としている。
また、これら突出部１２，１２の後端面を、各側板１４，１４の後端面と略同一平面状とした構成としている（図２（ｂ）及び図３（ａ）も参照）。つまり、レール２０が取り付けられる天板１０の後端面１１を、両側板１４，１４の後端面よりも前方側に位置させた構成としている。突出部１２，１２及び両側板１４，１４の後端面から天板１０の後端面１１までの前後方向（収納奥行方向）に沿う寸法（受入凹所１３の深さ寸法）は、見栄え上や、壁面２への保持具３０の干渉を抑制する観点等から適宜の寸法としてもよい。
【００１６】
また、これら突出部１２，１２の収納間口方向に沿う寸法を、各側板１４，１４の厚さ寸法と略同寸法としている。また、これら突出部１２，１２の収納間口両側面を、各側板１４，１４の厚さ方向両面と略同一平面状とした構成としている。また、これら突出部１２，１２の上面を、天板１０の上面と略同一平面状とした構成としている。
これら突出部１２，１２は、天板１０または各側板１４，１４に一体的に設けられたものでもよいが、図例では、別体とされたものを接合した例を示している。なお、突出部１２，１２の収納間口方向に沿う寸法を図例よりも大とし、レール２０を図例よりも短い寸法としてもよい。このレール２０の長さ寸法は、天板１０上に載置される映像表示機器３の収納間口方向への設置位置の変更に対応可能なように適宜の長さとすればよく、例えば、天板１０の収納間口方向に沿う寸法の１／２以上としてもよい。また、このようなレール２０の長手方向両端側に、突出部１２，１２が当接または近接して配されるように、これら突出部１２，１２の収納間口方向に沿う寸法を変形するようにしてもよい。
【００１７】
レール２０は、図３に示すように、ガイド溝２１の溝底を区画し、天板１０の後端面１１に当接される底壁部２４を備えている。また、レール２０は、ガイド溝２１の溝幅方向一方側を区画し、上側に配される上片部２５と、ガイド溝２１の溝幅方向他方側を区画し、下側に配される下片部２６と、を備えている。このレール２０のガイド溝２１を区画する部位は、収納奥行方向に沿う寸法が比較的に小とされた薄型状とされている。また、このレール２０のガイド溝２１は、当該レール２０の全長に亘って設けられている。また、このレール２０の少なくともガイド溝２１を区画する部位は、全長に亘って一様な断面形状とされている。
また、本実施形態では、レール２０に、天板１０の下面に固定される固定片部２７を設けた構成としている。この固定片部２７は、厚さ方向を天板１０の厚さ方向に沿わせて配される薄板状とされている。また、図例では、固定片部２７の下面側にねじ等の止具の止着箇所の目安となるＶ溝状の凹溝を設けた例を示している。なお、このような態様に代えて、固定片部２７の適所に、止具が挿通される挿通孔を設けた態様としてもよい。
【００１８】
また、本実施形態では、この固定片部２７の上面から当該レール２０の上端面（上片部２５の上面）までの上下方向に沿う寸法を天板１０の厚さ寸法以下としている。図例では、固定片部２７の上面から当該レール２０の上端面までの上下方向に沿う寸法を天板１０の厚さ寸法よりも小さい寸法とした例を示している。つまり、当該レール２０の上端面が天板１０の上面から段下状に配される構成としている。
この固定片部２７の上面から当該レール２０の上端面までの上下方向に沿う寸法は、見栄え上の観点や保持具３０の保持性の観点等から適宜の寸法としてもよい。
また、本実施形態では、この固定片部２７を、レール２０の底壁部２４の溝幅方向途中部位から前方側に向けて突出させるように設けた構成としている。
なお、固定片部２７は、当該レール２０の全長に亘って設けられたものでもよく、長手方向に間隔を空けて複数箇所に設けられたものでもよい。
【００１９】
また、本実施形態では、レール２０に、当該レール２０の下端部から後方側に向けて突出するカバー片部２８ａを設けた構成としている。また、カバー片部２８ａを、レール２０の下片部２６に取り付けられるカバー部材２８に設けた構成としている。また、カバー部材２８に設けられた取付部２８ｂが取り付けられる被取付部２６ｂを下片部２６に設けた構成としている。図例では、被取付部２６ｂを、下方側に向けて開口し、開口側に向かうに従い幅狭状とされた溝状とし、取付部２８ｂを、この被取付部２６ｂに嵌め込まれる突条状とした例を示している。
また、カバー部材２８のカバー片部２８ａは、下片部２６に取り付けられた状態で、下片部２６の下端から後方側に向けて突出するように設けられている。このカバー片部２８ａの下片部２６後面からの突出寸法は、壁面２との隙間に応じて適宜の寸法としてもよい。
【００２０】
図例では、カバー片部２８ａと壁面２との間に配線挿通空間を設けた例を示している。また、カバー片部２８ａの突出寸法を、この配線挿通空間の前後方向に沿う寸法と略同寸法とした例を示している。なお、このカバー片部２８ａ（カバー部材２８）は、弾性を有したエラストマー系材料や合成樹脂系材料から形成されたものでもよい。また、カバー片部２８ａを、その先端部が側板１４，１４の後端面と前後方向で略一致する位置となるように設けた構成としてもよい。つまり、カバー片部２８ａの先端部が壁面２に当接または近接される構成としてもよい。この場合は、カバー片部２８ａに、例えば、後方側に向けて開口する切欠状の配線挿通部を設けた構成等としてもよい。また、カバー片部２８ａをレール２０とは別体とされたカバー部材２８に設けた態様に代えて、レール２０に一体的に設けた構成としてもよい。
【００２１】
また、本実施形態では、レール２０のガイド溝２１の溝幅方向両側に、保持具３０の上下端部３２，３３がそれぞれに着脱可能に差し込まれる差込溝（上端差込溝２２及び下端差込溝２３）２２，２３を設けた構成としている。これら差込溝２２，２３は、互いに向き合う方向に開口するように設けられている。つまり、上端差込溝２２は、下方側に向けて開口するように設けられ、下端差込溝２３は、上方側に向けて開口するように設けられている。
また、これら上下の差込溝２２，２３のうちの一方の上下方向に沿う深さ寸法を他方よりも大とし、保持具３０の上下方向一方の端部（３２）を一方の差込溝（２２）に差し込んだ状態で、他方の端部（３３）を他方の差込溝（２３）に差込可能な構成としている。
【００２２】
本実施形態では、上端差込溝２２の深さ寸法を下端差込溝２３の深さ寸法よりも大とし、保持具３０の上端部３２を上端差込溝２２に差し込んだ状態で、保持具３０の下端部３３を下端差込溝２３に差込可能な構成としている。つまり、保持具３０は、レール２０のガイド溝２１に対して、いわゆるけんどん状（上げ落とし状）に着脱自在に保持される構成とされている。これら差込溝２２，２３は、保持具３０の下端部３３を下端差込溝２３に差し込んだ状態で、保持具３０の上端部３２が上端差込溝２２に差し込まれて保持具３０の保持が可能なように設けられている（図３（ａ）参照）。また、これら差込溝２２，２３は、このように保持された保持具３０を上方側に移動させた状態で、下端差込溝２３から下端部３３の脱離が可能なように適宜の寸法とされている（図３（ｂ）参照）。
【００２３】
上端差込溝２２は、底壁部２４と、この底壁部２４の上端部から後方側に向けて突出するように設けられ、先端部に下方側に向けて垂れ下がる上抜止片部２５ａを設けた上片部２５と、によって区画されている。
下端差込溝２３は、底壁部２４と、この底壁部２４の下端部から後方側に向けて突出するように設けられ、先端部に上方側に向けて立ち上がる下抜止片部２６ａを設けた下片部２６と、によって区画されている。
これら上抜止片部２５ａ及び下抜止片部２６ａの前方側に向く前面及び後方側に向く後面は、それぞれ略同一平面状とされている。
また、図１及び図２（ｂ）に示すように、レール２０のガイド溝２１の長手方向両端部に、端部材２９，２９を設けた例を示している。これら端部材２９，２９は、緩衝機能を有したものでもよい。
【００２４】
保持具３０は、ガイド溝２１に長手方向に沿って移動可能に保持されるスライド部３１と、連結具６の第２端部８を保持する保持部３７が設けられた本体部３６と、を備えている。また、本実施形態では、保持具３０に、レール２０のガイド溝２１の溝底に当接される締付具３５を溝底側に向けて進退自在に設けた構成としている。
スライド部３１は、ガイド溝２１の深さ方向（前後方向）に厚さ方向を沿わせて配される薄板状とされている。このスライド部３１の上端部３２が上端差込溝２２に差し込まれ、下端部３３が下端差込溝２３に差し込まれる。また、このスライド部３１の上下方向途中部位に、厚さ方向に貫通する雌ねじ孔３４を設け、この雌ねじ孔３４に締付具３５をねじ合わせた構成としている。
【００２５】
この締付具３５を、スライド部３１に対して前方側となる溝底側に向けて進出させれば、図３（ａ）に示すように、その先端部がガイド溝２１の溝底に当接（圧接）される。
また、ガイド溝２１の溝底には、このように進出された状態の締付具３５の先端部の上方側に近接して設けられ、締付具３５、つまりはスライド部３１の上方側への移動を抑止するストッパー突部２４ａが設けられている。このストッパー突部２４ａは、底壁部２４の溝底から後方側に向けて突出するように、かつガイド溝２１の全長に亘って延びるように設けられている。また、このストッパー突部２４ａは、ガイド溝２１の長手方向に見て略方形状とされている。また、このストッパー突部２４ａの後方側に向く先端面から上抜止片部２５ａ及び下抜止片部２６ａの前方側に向く内側面までの前後方向に沿う寸法は、スライド部３１の厚さ寸法に応じた寸法とされている。なお、このようなストッパー突部２４ａを設けた場合には、締付具３５の先端部がガイド溝２１の溝底に当接されない構成としてもよい。
【００２６】
また、締付具３５を、スライド部３１に対して後方側に向けて後退（退入）させれば、図３（ｃ）に示すように、その先端部がガイド溝２１の溝底から離間し、スライド部３１の上方側への移動が可能となる。これにより、図３（ｂ）に示すように、スライド部３１（保持具３０）をレール２０に対して取り外すことができる。
なお、図例では、スライド部３１に単一の締付具３５を設けた例を示しているが、複数の締付具３５を設けた態様としてもよい。また、本実施形態では、上端差込溝２２の深さ寸法を下端差込溝２３の深さ寸法よりも大とした例を示しているが、下端差込溝２３の深さ寸法を上端差込溝２２の深さ寸法よりも大としてもよい。この場合は、上記したストッパー突部２４ａを設けていない構成としてもよい。
【００２７】
本体部３６は、スライド部３１の上下方向途中部位から後方側に向けて突出し、かつ上方側に向けて延びるように設けられている。この本体部３６の延出部位の上端部に、保持部３７が設けられている。また、本体部３６に、レール長手方向に間隔を空けて複数（図例では、２つ）の保持部３７，３７を設けた構成としている。これら保持部３７，３７は、保持具３０をレール２０に取り付けた状態で、天板１０の上面よりも上方側に位置するように配される構成とされている。また、図例では、これら保持部３７，３７を、本体部３６の上端部を貫通するボルト及びこれにねじ合わされるナットによって構成した例を示している。また、図例では、本体部３６を、スライド部３１の上方側部位を囲むように、かつスライド部３１に対して切り起こし状に設けた例を示している。
【００２８】
これら保持部３７，３７に第２端部８，８が保持される連結具６，６は、第１端部７，７が映像表示機器３の背面４に設けられた保持部５，５に保持される。図例では、映像表示機器３の背面４から２本の紐状（ワイヤー状）の連結具６，６を保持具３０に向けて延びるように設けた例を示している。このような連結具６，６としては、図例のような紐状（ワイヤー状）とされたものに限られず、帯状（ベルト状）や棒状等とされたものでもよい。また、映像表示機器３の保持部５，５は、このような連結具６，６に応じて適宜の構成とされたものでもよい。図例では、２つの保持部５，５を、収納間口方向に間隔を空けて設けた例を示している。このような保持部５，５は、映像表示機器３の背面４に設けられた壁面設置金具固定用の雌ねじ穴にねじ合わされて背面４に取り付けられたものでもよい。
【００２９】
なお、映像表示機器３の背面４に保持された連結具６，６の第２端部８，８を、レール２０に固定された保持具３０の保持部３７，３７に対して引っ掛けるようにして保持させる構成としてもよい。または、連結具６，６の第２端部８，８を保持具３０に保持させた状態で、この保持具３０をレール２０に取り付ける構成としてもよい。また、本実施形態では、単一の保持具３０をレール２０に設けた例を示しているが、複数の保持具３０をレール２０に設けた構成としてもよい。また、レール２０及び保持具３０は、金属系材料や合成樹脂系材料から形成されたものでもよい。
【００３０】
本実施形態に係る収納装置１は、上述のような構成としたことで、映像表示機器３と天板１０とを連結する連結具６の天板１０側の固定位置の変更が可能でありながらも、見栄えを向上させることができる。
つまり、天板１０の後端面１１に取り付けられ、後方側に向けて開口するガイド溝２１が設けられたレール２０に、映像表示機器３の背面４に第１端部７が保持される連結具６の第２端部８を保持する保持具３０を移動可能に設けた構成としている。従って、映像表示機器３と天板１０とを連結する連結具６の天板１０側となる第２端部８を保持する保持具３０をレール２０に沿って移動させることができる。これにより、映像表示機器３を収納間口方向の任意の位置で設置し易くなり、また、映像表示機器３を交換する際や設置位置を変更する際にも容易に対応することができる。また、保持具３０を移動可能に保持するレール２０を目立ち難くすることができ、見栄えを向上させることができる。また、ガイド溝２１を後方側に向けて開口させた構成としているので、ガイド溝２１内に塵埃等を溜まり難くすることができる。
【００３１】
また、本実施形態では、天板１０の後端部の収納間口方向両端部に、レール２０の長手方向両端側を覆うように配される突出部１２，１２を設けた構成としている。従って、側方側から見た状態においてレール２０が露出し難くなり、見栄えを向上させることができる。なお、このような突出部１２，１２を設けていない構成としてもよい。この場合は、レール２０の長手方向両端部を覆うようにレール２０に取り付けられるエンドキャップ等を設けた構成等としてもよい。
また、本実施形態では、レール２０の下端部から後方側に向けて突出するカバー片部２８ａを設けた構成としている。従って、当該収納装置１を壁面２に当接または近接させて設置されるものとした場合に、カバー片部２８ａによって壁面２との隙間を小さくすることができる。なお、このようなカバー片部２８ａを設けていない構成としてもよい。
【００３２】
また、本実施形態では、保持具３０に、レール２０のガイド溝２１の溝底に当接される締付具３５を溝底側に向けて進退自在に設けた構成としている。従って、締付具３５を溝底に当接させることで保持具３０をレール長手方向の任意の位置で容易に固定することができる。
また、本実施形態では、レール２０のガイド溝２１の溝幅方向両側に、保持具３０（スライド部３１）の上下端部３２，３３がそれぞれに着脱可能に差し込まれる差込溝２２，２３を設けた構成としている。従って、保持具３０をレール長手方向の任意の位置でレール２０に取り付けることができ、レール２０の長手方向一端側から差し込む必要があるようなものと比べて、容易に取り付けることができる。なお、このような態様に代えて、保持具３０を、レール２０の長手方向の任意の位置において着脱不能とされたものとしてもよい。
【００３３】
また、本実施形態では、レール２０に、天板１０の下面に固定される固定片部２７を設けた構成としている。従って、固定片部２７を貫通させて天板１０に止具を止着することができるので、ガイド溝２１の溝底を貫通させて止具を止着した場合に生じる保持具３０の止具頭部への引っ掛かり等を防止することができる。また、固定片部２７を天板１０の下面に沿わせて固定することができ、天板１０の後端面１１に対するレール２０の上下方向の位置決めを容易に行うことができる。
また、この固定片部２７の上面から当該レール２０の上端面までの上下方向に沿う寸法を天板１０の厚さ寸法以下としている。従って、レール２０を天板１０に固定した状態で、レール２０の上端部が天板１０の上面から突出しないので、見栄えをより向上させることができる。なお、このような固定片部２７を設けていない構成としてもよい。また、本実施形態に係る収納装置１の上記した各部材及び各部の構成は、一例に過ぎず、その他、種々の変形が可能である。
【符号の説明】
【００３４】
１        収納装置
１０      天板
１１      後端面
１２      突出部
２０      レール
２１      ガイド溝
２２      上端差込溝（差込溝）
２３      下端差込溝（差込溝）
２７      固定片部
２８ａ    カバー片部
３０      保持具
３２      上端部
３３      下端部
３５      締付具
３        映像表示機器
４        背面
６        連結具
７        第１端部
８        第２端部
【図１】
2020000394.tif 000003
【図２】
2020000394.tif 000004
【図３】
2020000394.tif 000005